【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
一対の縦方向に離隔された導電性のリングであって、駆動側リングおよび非駆動側リングを含む導電リングを備えた中央コイル構造体と、複数の縦方向のセグメントであって、各々が前記駆動側リングを前記非駆動側リングに電気的に結合するセグメントと、を含む、導電性サドル形コイル構造体と、
前記非駆動側リングから前記複数の縦方向のセグメントの反方向に延び、前記非駆動側リングに電気的に結合されている複数のインダクタ・コネクタ縦方向導電リードと、
前記インダクタ・コネクタ縦方向導電リードを横断して電気的に接続された、一式の補助インダクタであって、当該補助インダクタが、低い周波数の電流を優先する経路を提供し、これによって、高い周波数の電流が、優先して前記中央コイル構造体を流れるようにされる補助インダクタと、を含む核磁気共鳴無線周波数コイル。
【請求項２】
前記一式の補助インダクタは、一対の互いに誘導的に結合された補助インダクタを含む、請求項１に記載のコイル。
【請求項３】
前記一対の補助インダクタの各々は、半トロイド形状であり、前記一対の補助インダクタは大略的にトロイド形状を形成するために配列されている、請求項２に記載のコイル。
【請求項４】
前記サドル形コイル構造体は、分布キャパシタンスコイル部分を形成するパターン化されたホイルの少なくとも一部を含む、請求項１に記載のコイル。
【請求項５】
誘電性の円筒状のサポートをさらに含み、前記パターン化されたホイルは前記円筒状のサポート上に取り付けられている、請求項４に記載のコイル。
【請求項６】
前記パターン化されたホイルは、前記複数のインダクタ・コネクタリードを含む、請求項４に記載のコイル。
【請求項７】
前記サドル形コイル構造体は、単一の縦方向にモノリシックなパターン化されたホイルから形成されている、請求項１に記載のコイル。
【請求項８】
前記サドル形コイル構造は、前記インダクタ・コネクタ縦方向導電リードの少なくとも一部に沿って延びる縦方向の円筒状無線周波数シールドを含み、前記インダクタ・コネクタリードは前記無線周波数シールドの外側表面に沿って延びている、請求項１に記載のコイル。
【請求項９】
前記無線周波数シールドの少なくとも一部は、前記一対の縦方向に離隔されたリングの一方の少なくとも一部を形成する、請求項８に記載のコイル。
【請求項１０】
前記インダクタ・コネクタリードの各々は、１ｃｍ以上の縦方向の長さを有する、請求項１に記載のコイル。
【請求項１１】
前記インダクタ・コネクタ縦方向導電リードの各々は、０．０５ｃｍ以下の幅を有する、請求項１０に記載のコイル。
【請求項１２】
前記サドル形コイル構造体は、感度補償されている、請求項１に記載のコイル。
【請求項１３】
前記補助インダクタの各々は、１００ｎＨ以上のインダクタンスを有する、請求項１に記載のコイル。
【請求項１４】
前記インダクタ・コネクタ縦方向導電リードの各々は、線形である、請求項１に記載のコイル。
【請求項１５】
前記サドル形コイル構造体上に取り付けられた非導電性の補助インダクタサポートをさらに含み、前記一式の補助インダクタは前記補助インダクタサポート上に取り付けられている、請求項１に記載のコイル。
【請求項１６】
前記駆動側リングの２つの向かい合うノードを横断して接続された分路インダクタをさらに含む、請求項１に記載のコイル。
【請求項１７】
前記サドル形コイル構造体は、
前記駆動側リング上で、かつ前記駆動側リングと前記非駆動側リングとの間に形成されたコイルウインドウの近傍に配置された、第１のリング状のキャパシタンスチューニングバンドと、
前記駆動側リング上に配置され、かつ前記第１のキャパシタンスチューニングバンドに縦方向に近接する第１の位置と、前記第１の位置よりも前記コイルウインドウからさらに離れて位置する第２の位置との間で縦方向にスライド可能な第２のリング状のキャパシタンスチューニングバンドと、
をさらに含む、請求項１に記載のコイル。
【請求項１８】
駆動側と、この駆動側とは縦方向において反対側に位置する非駆動側とを有する中央コイル構造体を備えたサドル形の無線周波数コイルと、
前記非駆動側から、前記コイルから離れるように延びる複数のインダクタ・コネクタ縦方向導電リードと、
前記インダクタ・コネクタ縦方向導電リードを横断して電気的に接続された一式の補助インダクタであって、当該補助インダクタが、低い周波数の電流を優先する経路を提供し、これによって、高い周波数の電流が、優先して前記中央コイル構造体を流れるようにされる補助インダクタと、を含む核磁気共鳴装置。
【請求項１９】
縦方向の軸のまわりに巻かれたとき、核磁気共鳴無線周波数コイルの少なくとも一部を形成する、パターン化された導電性ホイルであって、
前記縦方向の軸のまわりに巻かれたとき第１のコイルリングを形成する、大略的に横方向の、縦方向スロットを有する第１のバンドと、
前記縦方向の軸のまわりに巻かれたとき第２のコイルリングを形成する、大略的に横方向の、縦方向スロットを有する第２のバンドと、
前記第１のバンドを前記第２のバンドに接続する複数の縦方向のセグメントと、
前記第２のバンドから外側方向に向かって、前記複数の縦方向のセグメントとは反対方向に延び、前記コイルに外部接続を提供するための複数の縦方向駆動リードと、
前記第１のバンドから外方向に向かって、前記一式の縦方向のセグメントとは反対方向に延びる複数の縦方向のコンポーネント・コネクタリードであって、当該複数の縦方向のコンポーネント・コネクタリードに接続して、低い周波数の電流を優先する経路を提供する少なくとも１つの追加のコイルコンポーネントに対する接続を提供する複数の縦方向のコンポーネント・コネクタリードと、を含む、パターン化された導電性ホイル。
【請求項２０】
中央コイル構造体を備えた、分布キャパシタンス導電性サドル形無線周波数コイルの低周波効率、雑音に対するロック信号、およびパワーハンドリング性能を改善する、核磁気共鳴方法であって、
核磁気共鳴導電性サドル形無線周波数コイルを高い周波数にて駆動するステップと、
前記コイルを高い周波数にて駆動するステップに続き、前記コイルを低い周波数にて駆動するステップと、
を含み、前記コイルは、
一対の縦方向に離隔された導電性リングであって、駆動側リングおよび非駆動側リングを含む導電性リングと、複数の縦方向のセグメントであって、各々が前記駆動側リングを前記非駆動側リングに電気的に結合するセグメントと、を含む、導電性サドル形コイル構造体と、
前記非駆動側リングから前記複数の縦方向のセグメントの反対方向に延び、前記非駆動側リングに電気的に結合されている複数のインダクタ・コネクタ縦方向導電リードと、
前記インダクタ・コネクタ縦方向導電リードを横断して電気的に接続された一式の複数の補助インダクタであって、当該補助インダクタが、低い周波数の電流を優先する経路を提供し、これによって、高い周波数の電流が、前記中央コイル構造体を流れるようにされる補助インダクタと、
を含み、
前記非駆動側リングは高い周波数の電流を優先する経路を提供し、前記一式の補助インダクタは低い周波数の電流を優先する経路を提供して、その結果、前記コイルの雑音に対するロック信号における改善、および前記コイルのパワーハンドリングにおける改善とともに、低周波効率の改善された性能を有する前記コイルが得られる、核磁気共鳴方法。